(57)【要約】【課題】古来の乾式工法のように、面戸部がやたら外側に出ていて腐食、劣化に不安がある。施工に手間が掛かり、熨斗がしっかり固定できず、通りがそろわない不都合を解決すること。【解決手段】立て板に各板を、水掃き勾配を付けて釘止めし、そこに熨斗瓦をビス止めするその上の板台板の下に敷き板を敷いて施工する、プラスチック面戸を使用し、ウレタンフォームを充填する。ステンレスのビスで熨斗を固定する。ことによって、この課題を解決する。【選択図】      図２
2007247179.tif 000002
【特許請求の範囲】
【請求項１】
図２の棟部の屋根下地から立ち上げられた芯になる立板（２）を金具で屋根地（１１）に固定し、それに対して敷板（６）と台板（５）を組み合わせて（２）に釘止めし、（５）に熨斗瓦を載せ、糸で通りをあわせビス止めする。  台板と敷板の幅寸法を変えることによって熨斗瓦の種類は大熨斗から小熨斗まで変更可能であり、敷き板は場合によって使わなくてもよいことを特徴とする工法。
【請求項２】
棟芯部の材料は、簡単に安価で入手できる木材製板、プラスチック製、面戸は陶器又はウレタン製又はプラスチック製、又はセメント系仕上げ塗り剤(屋根用漆喰)。
【請求項３】
使用する熨斗瓦は特に専用の熨斗瓦ではなく、普通の熨斗瓦を使用するので、棟直し等でも既存の熨斗瓦をそのまま使って構築できる工法。
【請求項４】
この工法は陸棟だけではなく、下部取り付けに工夫を施せば、隅棟、下り棟壁際熨斗取り付けにも対応できる工法である
【発明の詳細な説明】
【技術分野】
【０００１】
本発明は棟工事に関するものであり、熨斗瓦を積む従来の手法（粘土を使用して構築、又は一部粘土と、特殊な部材を使う乾式工法）を粘土を全く使わず、手軽に入手できる木材製品を用いた乾式工法で普通の熨斗瓦を使い軽量かつ、仕上がりを美しく、工期短縮、高耐久性を実現したものである。
【背景技術】
【０００２】
古来、ごく１部の地域で、形状と部品の材質は違うが木材使用の乾式工法は行われていた（図３）
【０００３】
古来の乾式棟は面戸は木製で、1枚板を切り抜くので、加工が容易でない。図４の（５）の部分。
【０００４】
図４の面戸部分（５）は熨斗瓦の通りを揃える為、熨斗瓦外面から僅かに内側に入っているだけなので、紫外線、雨風に晒され易く痛みやすい。塗装もすぐに剥れ、見た目も悪く腐食に対する不安感がぬぐいきれない。
【０００５】
板に勾配はなく、熨斗を板の角に乗せて釘止め又は銅線で緊結しているだけなので台風、地震による揺れで熨斗瓦の通りがずれやすい。
【０００６】
葺き替え工事、棟直し工事等リフォーム時は下地（棟木）に歪みが生じているので、図４の面戸の通り（20の点線）がきれいに直線にならない。したがって歪んだラインに1枚ずつ高さを合わせて木面戸の形を切り抜く作業は、手間もかかり、かなり困難である。
【０００７】
古来の工法でも、築４０〜４７年と抜群の耐久実績(現在も数棟実在)があり、若干熨斗瓦のずれ、部分的に面戸が腐食している程度で、数千件の棟倒壊被害を出した、平成１２年の鳥取西部地震の震度６の揺れを、崩れることなく持ちこたえて現在に至る棟工法である。
【０００８】
【特許文献１】特開２００４−６８５８５号公報
【発明の開示】
【発明が解決しようとする課題】
【０００９】
前記特許乾式棟工法は種々の利点があるが、いずれも下部は粘土を使用し、専用のプラスチック部材、金具、、熨斗瓦、を使用するので、特殊すぎて普及率が低く、相当量の在庫を持たなければならない。また熨斗自体に勾配がつかないので段数を多く積まないといけない。其の為、たとえば１０ｍ程度の６寸鬼瓦に対して同じ高さを積むのにも熨斗枚数が数十枚単位で多くいる。これらの理由により、材料費が割高になる。また開発メーカーと契約がない販売店や施工業者は、ほとんどその工法を見ることすらない。
棟直しの場合は、専用熨斗瓦を使用する乾式工法では、まだ十分使用できる既存の熨斗瓦を使用して工事を行うことができない為処分費が余計にかかる。
確かに人件費は抑えられるし、地震に強いが、工事単価は下がらない。
【００１０】
図３の様な古来の乾式工法では軽量なのは良いが、熨斗の通りをそろえるのにかなりの時間を費やすうえに、仕上がりが悪い。それと面戸の腐食に対する不安感、面戸の表面は塗装の為、十数年後には塗り替えが必要、などデメリットの要素が強く一般的にはほとんど普及しなかった。
【００１１】
本発明は完全乾式の為最も軽量で、棟直し等でも既存の熨斗瓦を使用できるメリットを生かし、仕上がりの悪さ、雨、紫外線による腐食、劣化、面戸の塗装剥離、に対する不安を解決することを課題とする。
【課題を解決するための手段】
【００１２】
課題を解決するための発明は、図２の棟の芯となる板（２）を、立てて金具（１６）を釘で固定、その側面に寸法を決めて敷板（６）を仮置きし銅線等で仮固定する。プラスチック面戸（７）を平瓦（８）と敷板の空間（22）にウレタンフォームを充填し、差し込んで上から釘止めする。その上に寸法を加減して台板（５）を敷板（６）に釘で固定してから、台板を立て板（２）に釘で固定する。その際、敷板（６）とその下の平瓦（８）に隙間が生じる場所はクサビ図５（21）を咬ませて釘かウレタンフォームで固定する。この作業によって立て、横の通り、熨斗傾斜角度が決まる。プラスチック面戸が熨斗外面から奥行を取れるので雨、紫外線を遮る事ができ、劣化防止となり、敷板（６）の腐食防止にもなり、より長持ちする。  
【発明の効果】
【００１３】
本発明は、軽量はもとより、熨斗瓦の縦、横の通り、角度を簡単にそろえることができる為、大幅に職人工数を削減できるので、工事金額も安くなる。
【００１４】
粘土をまったく使用しないので、天候が優れない日でも、施工可能である、工事日程のロスを抑えることができる。
【００１５】
外部に露出している面戸部分に奥行きを持たすことができるので雨、風、紫外線にあたりにくく、劣化の防止になる。
【００１６】
冠瓦（１２）はパッキン付ビス（１０）で角材（１）に固定する為、上部固定用穴からの浸水を防ぎ、より強固に施工できる。
【００１７】
熨斗の固定法はビスと併用して、熨斗の継ぎ目、板と熨斗の間をコーキングで接着するので浸水防止になり、ずり下がり防止にもなる。
【発明を実施するための最良の形態】
【００１８】
以下図面を参照しながら、本発明に係わる棟芯材及び棟構造の好ましい実施形態を説明する。
【００１９】
乾式工法の心材は、安価で手軽に購入でき、厚さ、長さ、幅を加工し易い木材が良い。
【００２０】
各補強用金具（１６）、板固定用釘（９）、ビス（１０）はステンレス製であることが最もよい。
【００２１】
図２は、（5）の下部に（6）を取り付けることを特徴とする完全乾式工法の断面図である。
同図が示すように（２）を立てて（１１）に（１６）と（１０）で固定、（６）と（８）の隙間が生じる部分に図５の（２１）をかませ釘等で固定して（６）を糸の通りに合わせて安定させ（２２）に（１９）を充填し  （７）を  挿入し（９）で（６）に固定し、寸法を決めて（５）を上に乗せ（９）で（２）  に固定、（６）の位置にずれがないか再度確認して（５）と（６）を（９）で固定する、次に（７）と（７）の隙間をコーキングで埋めて接着、これで台板の縦、横の通りがそろう。（５）の外面から（６）の外面の間の寸法と、
（５）の有無は、使用する熨斗瓦の種類、幅により変更する。
次に（１５）の外面を（５）外面より2〜3cm外側にだして棟長さの端々
（１０）で固定し、糸で通り基準を出し、それにあわせて（１５）を（１０）で固定する、この作業を両屋根部行う
【００２２】
次に（１５）の上に（４）を乗せて外側に水が流れる程度勾配を付け、（２）に（９）で固定し（４）の外面下部と（１５）の上面の重なり部の隙間
（１５）と（１５）の継目を棟長さの端々までコーキングで接着兼シーリングする。
【００２３】
（15）に（14）の外面を載せるチリのラインを墨付けし、その墨に合わせて（14）を（4）に（10）で固定しこの後の熨斗積み作業工程はここまでの一連の作業を繰り返して行う。    
【００２４】
熨斗瓦を積み終わったら（２）の上に（１２）をビス止めするための高さと幅調整用の
角材1を（１０）で固定しそれに（１２）を（１０）で固定する。
【産業上の利用可能性】
【００２５】
本発明に係る乾式工法は、天候が優れなくても、また一人でも施工が可能で、軽量、高耐久、工事金額を大幅に引き下げることができ、一般に普及させれば屋根工事業者の受注件数も増え、必ず産業上の利用可能性を有する。
【図面の簡単な説明】
【００２６】
【図１】乾式工法の斜視図である。
【図２】乾式工法の断面図である。
【図３】古来乾式工法の断面図である。
【図４】古来乾式工法の面戸部分側面図である。
【図５】新乾式工法の面戸部分側面図である。
【図６】面戸部内部にウレタンフォームを充填した図である
【符号の説明】
【００２７】
１  冠瓦止調整用角材    
２  芯になる立て板
３  3段目の熨斗瓦を取り付ける板
４  2段目の熨斗瓦を取り付ける板
５  １段目熨斗の台になる板
６  台板の下部に敷く板
７  プラスチック面戸
８    平瓦
９    釘
１０  ビス
１１  屋根下地
１２  冠瓦
１３  小熨斗
１４  7分熨斗
１５  7分熨斗
１６  金具
１７  瓦桟
１８  棟木
１９  ウレタンフォーム
２０  面戸の直線ライン
２１  くさび
２２  面戸内側空洞
３１〜３３  熨斗付け用板
３４  台板
３５  木製面戸
３６  平瓦
３７  屋根地
３８  台タルキ
３９  冠瓦
４０  小熨斗
４１  7分熨斗
４２  7分熨斗
４３  棟木
４４  瓦桟
４５  釘
４６  銅線
４７  角材
【図１】
2007247179.tif 000003
【図２】
2007247179.tif 000004
【図３】
2007247179.tif 000005
【図４】
2007247179.tif 000006
【図５】
2007247179.tif 000007
【図６】
2007247179.tif 000008